(57)【要約】  【課題】  母体と臍帯血等の検体との対応付けを高い信頼性で実現することができる検体管理システムを提供すること。  【解決手段】  臍帯血の所定の処理に係る時間情報を含む臍帯血情報を符号化し、臍帯血を管理する臍帯血管理装置２０と、臍帯血を収容する臍帯血採取バッグ３０と、臍帯血の所定の処理情報が記載される書類４０と、臍帯血が移植される患者の情報が記載されるカルテ５０とを有し、臍帯血管理装置２０は、パソコン本体２０ａと、臍帯血情報を入力するキーボード２０ｂと、臍帯血情報を表示する液晶ディスプレイ２０ｃと、２次元ラベルに表示された２次元バーコードを読み取るバーコードリーダ２０ｄとを備える構成とすることにより、母体と臍帯血等の検体との対応付けを高い信頼性で実現することができるようにした。【選択図】  図１
2005316654.tif 000002
【特許請求の範囲】
【請求項１】
検体を収容する検体収容手段と前記検体の所定の処理情報が記載される処理情報記載手段と前記検体が移植される患者の情報が記載される患者情報記載手段と前記検体を管理する検体管理装置とを有し、
前記検体収容手段、前記処理情報記載手段及び前記患者情報記載手段は、前記検体の所定の処理に係る時間情報を含む検体情報が符号化されたバーコードを備え、
前記検体管理装置は、前記バーコードを読み取るラベル情報読取手段を備えたことを特徴とする検体管理システム。
【請求項２】
前記ラベル情報読取手段は、前記処理情報記載手段及び前記患者情報記載手段の少なくとも一方を収容する収容手段に貼付された前記ラベルの前記バーコードを読み取ることを特徴とする請求項１に記載の検体管理システム。
【請求項３】
前記バーコードは、２次元バーコードであることを特徴とする請求項１または請求項２に記載の検体管理システム。
【請求項４】
検体の所定の処理に係る時間情報を含む検体情報が２次元バーコードで表示されたラベルを前記検体が収容される検体収容手段と前記検体の所定の処理情報が記載される検体処理情報記載手段と前記検体が移植される患者の情報が記載される患者情報記載手段とに貼付し、前記２次元バーコードによって前記検体情報を管理することを特徴とする検体管理方法。
【請求項５】
検体の所定の処理に係る時間情報を含む検体情報が符号化された２次元バーコードの情報を読み出す読出ステップをコンピュータに実行させることを特徴とする検体管理プログラム。
【請求項６】
請求項５に記載の検体管理プログラムを記憶したことを特徴とする記憶媒体。
【発明の詳細な説明】
【技術分野】
【０００１】
本発明は、例えば臍帯血、幹細胞、母体血等の検体を管理する検体管理のシステム、方法、プログラム及び記憶媒体に関する。
【背景技術】
【０００２】
従来、この種の検体管理システムは、予め登録されたユーザに関する情報と該登録ユーザ名義の依頼により出生時に採取され保管に付された登録ユーザ自身の臍帯血に関する情報とを対応付けて保存する保管情報記憶手段と、該臍帯血に関する情報を特定して出力する保管情報特定手段とを備え、保管情報特定手段は、登録ユーザ名義の請求があったときに、保管に付されている登録ユーザ自身の臍帯血に関する情報を特定して出力することによって、臍帯血を有効に活用することができるようになっている（例えば、特許文献１参照。）。
【特許文献１】特開２００３−１４１２６４号公報（第６−１１頁、第１図）
【発明の開示】
【発明が解決しようとする課題】
【０００３】
しかしながら、このような従来の検体管理システムでは、臍帯血の処理担当者が個別に臍帯血の情報の入力及び確認をする構成となっているので、母体と臍帯血との対応がとれなくなる恐れがあり、信頼性の高い検体管理を行うことができないという問題があった。
【０００４】
また、従来の検体管理システムでは、臍帯血の所定の処理に係る時間情報を管理していないので、例えば、母体から臍帯血が採取された時刻を正確に把握することができないという問題があった。
【０００５】
本発明は、このような問題を解決するためになされたものであり、母体と臍帯血等の検体との対応付けを高い信頼性で実現することができ、検体の所定の処理に係る時間情報を把握することができる検体管理システムを提供するものである。
【課題を解決するための手段】
【０００６】
本発明の臍帯血管理システムは、検体を収容する検体収容手段と前記検体の所定の処理情報が記載される処理情報記載手段と前記検体が移植される患者の情報が記載される患者情報記載手段と前記検体を管理する検体管理装置とを有し、前記検体収容手段、前記処理情報記載手段及び前記患者情報記載手段とは、前記検体の所定の処理に係る時間情報を含む検体情報が符号化されたバーコードを備え、前記検体管理装置は、前記バーコードを読み取るラベル情報読取手段を備えたことを特徴とする構成を有している。
【０００７】
この構成により、ラベル情報読取手段は、検体が収容される容器及び関係書類に貼付されたラベルのバーコードを読み取るので、母体と検体との対応付けを高い信頼性で実現することができ、検体の所定の処理に係る時間情報を把握することができる。
【０００８】
また、本発明の臍帯血管理システムは、前記ラベル情報読取手段は、前記処理情報記載手段及び前記患者情報記載手段の少なくとも一方を収容する収容手段に貼付された前記ラベルの前記バーコードを読み取ることを特徴とする構成を有している。
【０００９】
この構成により、ラベル情報読取手段は、書類等をファイリングするファイルに貼付されたラベルのバーコードを読み取るので、検体と対応付けられた各書類を確実にファイリングすることができる。
【００１０】
さらに、本発明の臍帯血管理システムは、前記バーコードは、２次元バーコードであることを特徴とする構成を有している。
【００１１】
この構成により、２次元バーコードは、縦方向及び横方向の２次元方向に情報を符号化して表すことができるので、検体情報の情報量が多い場合でも検体情報を小スペースに表示することができる。
【００１２】
本発明の臍帯血管理方法は、検体の所定の処理に係る時間情報を含む検体情報が２次元バーコードで表示されたラベルを前記検体が収容される検体収容手段と前記検体の所定の処理情報が記載される検体処理情報記載手段と前記検体が移植される患者の情報が記載される患者情報記載手段とに貼付し、前記２次元バーコードによって前記検体情報を管理することを特徴とする方法を有している。
【００１３】
この方法により、検体の所定の処理に係る時間情報を含む検体情報を表示した２次元バーコードによって、母体と検体との対応付けを高い信頼性で実現することができ、検体の所定の処理に係る時間情報を把握することができる。
【００１４】
本発明の臍帯血管理プログラムは、検体の所定の処理に係る時間情報を含む検体情報が符号化された２次元バーコードの情報を読み出す読出ステップをコンピュータに実行させることを特徴とするプログラムである。
【００１５】
このプログラムにより、コンピュータは、検体の所定の処理に係る時間情報を含む検体情報を表示した２次元バーコードによって、母体と検体との対応付けを高い信頼性で実現することができ、検体の所定の処理に係る時間情報を把握することができる。
【００１６】
本発明の記憶媒体は、検体の所定の処理に係る時間情報を含む検体情報が符号化された２次元バーコードの情報を読み出す読出ステップをコンピュータに実行させるプログラムを記憶したことを特徴とする記憶媒体である。
【００１７】
この記憶媒体により、コンピュータは、検体の所定の処理に係る時間情報を含む検体情報を表示した２次元バーコードによって、母体と検体との対応付けを高い信頼性で実現することができ、検体の所定の処理に係る時間情報を把握することができる。
【発明の効果】
【００１８】
本発明は、検体の所定の処理に係る時間情報を含む検体情報を表示したバーコードを有するラベルが検体を収容する容器及び関係書類に貼付され、ラベルのバーコードを読み取るラベル情報読取手段を設けることにより、母体と検体との対応付けを高い信頼性で実現することができ、検体の所定の処理に係る時間情報を把握することができるという効果を有する検体管理システムを提供することができるものである。
【発明を実施するための最良の形態】
【００１９】
まず、本発明の実施の形態の検体管理システムの構成について説明する。
【００２０】
なお、検体とは、母体から採取された臍帯血、幹細胞、母体血等をいう。以下、臍帯血が利用される臍帯血利用施設、例えば臍帯血移植病院において、本発明の実施の形態の検体管理システムを臍帯血の管理を行う臍帯血管理システムに適用した例を挙げて説明する。臍帯血は、臍帯血移植病院からの依頼に基づき、臍帯血バンクから臍帯血移植病院に送付されるものとする。ここで臍帯血とは、母親と胎児とを結ぶ臍帯及び胎盤の中に含まれる血液をいう。臍帯血には、赤血球、白血球、血小板等を作る造血幹細胞が含まれており、この臍帯血は、例えば白血病患者に移植され、造血機能を回復させる治療に利用される。
【００２１】
図１に示すように、本実施の形態の臍帯血管理システム１０は、臍帯血の所定の処理に係る時間情報を含む臍帯血情報を符号化し、臍帯血を管理する臍帯血管理装置２０と、臍帯血を収容する臍帯血採取バッグ３０と、臍帯血の所定の処理情報が記載されるｎ枚の書類４０（ａ〜ｎ）と、臍帯血が移植される患者の情報が記載されるｎ個のカルテ５０（ａ〜ｎ）とを有している。
【００２２】
ここで、所定の処理に係る時間情報とは、例えば産院における臍帯血の採取処理、臍帯血の検査処理、臍帯血の出荷処理及び臍帯血移植病院における臍帯血の受付処理、臍帯血の移植等が実施された年月日、時刻、所要時間等をいう。また、臍帯血情報とは、臍帯血が採取される採取施設、母親の氏名、臍帯血を管理するための検体管理番号等をいう。また、２次元バーコードは、縦方向及び横方向の２次元方向に情報を符号化して表したものであり、臍帯血が採取された時刻情報を含む時間情報及び臍帯血情報等を有している。
【００２３】
臍帯血管理装置２０は、図示しないＣＰＵ、メモリ、記憶装置等を有するパーソナルコンピュータ（以下、パソコンという。）本体２０ａと、臍帯血情報を入力するキーボード２０ｂと、臍帯血情報を表示する液晶ディスプレイ２０ｃと、臍帯血を収容する臍帯血容器及び臍帯血の所定の処理情報が記載される書類に貼付されたラベル（以下、２次元ラベルという。）に表示された２次元バーコードを読み取るバーコードリーダ２０ｄとによって構成されている。パソコン本体２０ａは、キーボード２０ｂによって入力された臍帯血情報を２次元バーコードの符号に符号化し、符号化されたデータを記憶装置に記憶するようになっている。
【００２４】
バーコードリーダ２０ｄは、２次元バーコードに投光する光源、光源によって投光された２次元バーコードの明暗の差を検知する受光センサ、ＣＰＵ、インターフェイス等から構成されている。
【００２５】
臍帯血採取バッグ３０は、例えば塩化ビニールで構成された採血バッグ３０ａと採血バッグ３０ａに貼付されたシート３０ｂとから構成されている。採血バッグ３０ａには臍帯血が注入されている。なお、臍帯血バンクから臍帯血が出庫される際、２次元バーコード６０ａが表示された２次元ラベル６０がシート３０ｂに貼付される。また、シート３０ｂは、医師、看護士等が所定の情報を記入する記入欄３０ｃを有している。
【００２６】
書類４０には、それぞれ、２次元バーコード６０ａが表示された２次元ラベル６０が貼付されている。具体的には書類４０は、出庫形式契約書、臍帯血取扱説明書、臍帯血検査結果報告書、移植終了報告書、臍帯血移植症例調査票等である。なお、臍帯血バンクから臍帯血が出庫される際、書類４０に２次元ラベル６０が貼付される。
【００２７】
臍帯血採取バッグ３０及び書類４０に貼付された２次元ラベル６０の２次元バーコード６０ａがバーコードリーダ２０ｄによって照合された後、２次元ラベル６０がカルテ５０に貼付されるようになっている。すなわち、臍帯血移植病院から臍帯血バンクに臍帯血の要求をしたとき、臍帯血バンクからは２次元ラベル６０が貼付された臍帯血採取バッグ３０及び書類４０と、カルテ５０に貼付される２次元ラベル６０とが出庫されるようになっている。
【００２８】
ここで、２次元ラベル６０について図２を参照して説明する。
【００２９】
図２に示すように２次元ラベル６０は、２次元バーコード６０ａと、臍帯血を管理する検体管理番号６０ｂと、出庫検査データの記載欄６０ｃとで構成されている。
【００３０】
検体管理番号６０ｂは、例えば、臍帯血が採取された病院のコードと、２次元ラベル６０の発行年月の記号と、２次元ラベル６０の発行月のシリアル番号との組み合わせで構成される。具体例を挙げれば、臍帯血が採取された病院のコードが「０３」、２次元ラベル６０の発行年月が２００３年１０月、１０月における２次元ラベル６０のシリアル番号が「０１５」の場合は、検体管理番号６０ｂは、「０３２００３１００１５」のように決定される。
【００３１】
出庫検査データの記載欄６０ｃは、例えば、１００桁の文字又は数字が印刷できるようになっており、ＤＮＡタイピング、細胞数、血液型、セルカウント等の検査のデータ及び検査を含む所定の処理が実施された日時情報を含む時間情報等が記載される。
【００３２】
２次元バーコード６０ａは、検体管理番号６０ｂ、出庫検査データの記載欄６０ｃに記載された出庫検査データ、前述の時間情報等が符号化された情報を有している。したがって、時間情報を参照することにより、例えば、臍帯血が採取されてから現在までに実施された処理の経緯を確認することができる。
【００３３】
次に、本実施の形態の臍帯血管理システム１０の動作について説明する。
【００３４】
まず、臍帯血バンクから納入された臍帯血の受け入れ確認が実施される。具体的には、パソコン本体２０ａ及びバーコードリーダ２０ｄによって、臍帯血採取バッグ３０及び書類４０に貼付された２次元ラベル６０と、カルテ５０に貼付される２次元ラベル６０とに表示された２次元バーコード６０ａが読み取られて照合され、臍帯血バンクに依頼した臍帯血か否かが確認される。
【００３５】
引き続き、臍帯血バンクに依頼した臍帯血であれば、２次元バーコード６０ａに含まれる情報及び照合された日時のデータがパソコン本体２０ａの記憶装置に記憶され、臍帯血バンクから出庫された２次元ラベル６０がカルテ５０に貼付され、所定の保管場所に保管される。なお、書類４０及びカルテ５０をファイリングして保管するファイル（収容手段）に２次元ラベル６０を貼付して管理する構成としてもよい。また、臍帯血が移植される患者の情報をパソコン本体２０ａで２次元バーコードの符号に符号化し、この２次元バーコードが表示された２次元ラベルをプリンタ（図示せず）で印刷してカルテ５０に貼付するよう構成してもよい。
【００３６】
そして、臍帯血の移植の際、臍帯血採取バッグ３０、書類４０及びカルテ５０は、保管場所から取り出され、バーコードリーダ２０ｄによって２次元バーコード６０ａが読み取られて照合され、臍帯血情報が確認される。この確認の際、さらに詳細な臍帯血情報が必要と判断された場合は、検体管理番号６０ｂに基づいて臍帯血バンクに問い合わせが行われる。
【００３７】
なお、臍帯血の所定の処理に係る時間情報を含む臍帯血情報が符号化された２次元バーコードの情報を読み出すプログラムを記憶媒体に記憶し、パソコン本体２０ａに実行させることにより、時間情報を含む臍帯血の管理を実現することができる。
【００３８】
以上のように、本実施の形態の臍帯血管理システム１０によれば、バーコードリーダ２０ｄは、臍帯血が収容される容器及び関係書類に貼付されたラベルのバーコードを読み取るので、母体と臍帯血との対応付けを高い信頼性で実現することができ、臍帯血の所定の処理に係る時間情報を把握することができる。
【００３９】
なお、以上の説明では、本発明の実施の形態の検体管理システムを臍帯血の管理を行う臍帯血管理システムに適用した例を挙げて説明したが、臍帯血に限定されるものではなく、幹細胞、母体血等についても同様に実施可能である。
【００４０】
また、パソコン本体２０ａを臍帯血利用施設内のネットワークやインターネットに接続し、臍帯血情報を授受できるように構成してもよい。
【産業上の利用可能性】
【００４１】
以上のように、本発明に係る検体管理システムは、母体と検体との対応付けを高い信頼性で実現することができ、検体の所定の処理に係る時間情報を把握することができるという効果を有し、臍帯血、幹細胞、母体血等の検体を管理する検体管理システム等として有用である。
【図面の簡単な説明】
【００４２】
【図１】本発明の実施の形態の臍帯血管理システムのブロック図
【図２】本発明の実施の形態の２次元ラベルの一例を示す図
【符号の説明】
【００４３】
１０  臍帯血管理システム（検体管理システム）
２０  臍帯血管理装置
２０ａ  パソコン本体
２０ｂ  キーボード
２０ｃ  液晶ディスプレイ
２０ｄ  バーコードリーダ（ラベル情報読取手段）
３０  臍帯血採取バッグ（検体収容手段）
３０ａ  採血バッグ（検体収容手段）
３０ｂ  シート
３０ｃ  記入欄
４０  書類（処理情報記載手段）
５０  カルテ（患者情報記載手段）
６０  ２次元ラベル
６０ａ  ２次元バーコード
６０ｂ  検体管理番号
６０ｃ  出庫検査データの記載欄
【図１】
2005316654.tif 000003
【図２】
2005316654.tif 000004